(57)【要約】【課題】取付金具のベース本体への設置位置と天井面等の取付面との高低差が小さい場合であっても、厚みの厚い取付面に取り付けることができる火災感知器取付ベースを提供する。【解決手段】本発明に係る火災感知器取付ベース１は、ベース本体５と、ベース本体５に設けられてベース本体５を取付面３に取り付けるベース取付金具９を有し、ベース取付金具９は、立上り部２５と、立上り部２５に連続して形成されて倒伏状態において先端が開口縁部７を押さえる押さえ部２７を有し、設置可能ないずれの厚みの取付面３に設置した場合であっても、設置状態において、立上り部２５の上端と前記先端とを結んだ直線と押さえ部２７とで囲まれる領域内又は領域の境界部に、取付面３における開口縁部７の厚み方向の上端角部が配置されることを特徴とするものである。【選択図】  図１
2020154912.tif 000002
【特許請求の範囲】
【請求項１】
開口が設けられた取付面に設置されて、火災感知器を取り付けるための火災感知器取付ベースであって、
前記火災感知器が着脱可能に装着されるベース本体と、該ベース本体に基端側を支点として起立状態から外方に向けて傾動して倒伏状態になるように設けられ、前記取付面の開口縁部を前記ベース本体と協働して挟持することで該ベース本体を前記取付面に取り付けるベース取付金具を有し、
該ベース取付金具は、起立状態において基端側から立ち上がる立上り部と、該立上り部に連続して形成されて倒伏状態において先端が前記開口縁部を押さえる押さえ部を有し、
該押さえ部は、起立状態で前記立上り部から前記ベース本体の径内方向に向かって屈曲又は湾曲した後、径外方向に向かって屈曲又は湾曲してなり、
設置可能ないずれの厚みの取付面に設置した場合であっても、設置状態において、前記立上り部の上端と前記先端とを結んだ直線と前記押さえ部とで囲まれる領域内又は領域の境界部に、前記取付面における開口縁部の厚み方向の上端角部が配置されることを特徴とする火災感知器取付ベース。
【請求項２】
前記押さえ部は、前記立上り部に連続すると共に該立上り部に対して略直角に屈曲形成された第１片部と、該第１片部に連続して前記立上り片部と平行な方向に屈曲形成された第２片部と、該第２片部に連続して径外方向に向かって斜めに延出する第３片部を備えてなることを特徴とする請求項１記載の火災感知器取付ベース。
【請求項３】
前記ベース取付金具は、前記立上り部の基端側に形成され、固定用のボルトが挿通されるボルト挿通孔を有する固定片部を有し、
前記ベース本体は前記固定片部の少なくとも両側を囲むように立設された一対の側壁部を有し、
該側壁部は前記ボルトの最先端にナットを螺合させた状態で前記ナットが空回りしないようにその高さと奥行方向の幅が設定されていることを特徴とする請求項１又は２に記載の火災感知器取付ベース。
【発明の詳細な説明】
【技術分野】
【０００１】
本発明は、天井面等の取付面に設置されて、火災感知器を取り付けるための火災感知器取付ベースに関するものである。
【背景技術】
【０００２】
煙、熱、又は炎等を感知することにより火災を感知する火災感知器は、火災感知器取付ベースに取り付けられ、例えば天井面等に設置されている。火災感知器取付ベースには、その一部を天井面の取付穴に挿入して埋込設置する埋め込み型のものと、その大部分を天井面から露出させて設置する露出型のものがある。
【０００３】
本発明は埋め込み型のものを対象としており、埋め込み型の例として、特許文献１に「埋込型感知器ベース」が開示されている。
特許文献１に開示のものは、「板状部材の取付穴に装着され、有底筒形状の本体部及び該本体部の開口側端部に形成された鍔部を有するベース本体と、前記本体部の底部外側に設けられ、取付ネジを締め付けることにより前記板状部材に前記ベース本体を固定する押さえ片を有する取付金具と、を備えた埋込型感知器ベースにおいて、前記取付金具は、鋼板により形成され、前記押さえ片における前記板状部材との接触側端部にはエッジ部を有することを特徴とする埋込型感知器ベース」（特許文献１の請求項１参照）である。
【０００４】
上記の特許文献１における取付金具は、押さえ片及びネジ挿通部等から構成され、押さえ片は、断面が略への字状をしており、一方の端部（天井面の上面部と接触する側の端部）が略Ｕ字状に切り欠かれている。
特許文献１の埋込型感知器ベースにおいては、取付金具を、その起立状態から基端側のネジ挿通部を支点として、先端側が外側に倒れるように傾動させ、先端側で天井面を押さえるようにして、天井面に取り付けられる（特許文献１の図２、図４参照）。
【先行技術文献】
【特許文献】
【０００５】
【特許文献１】特開２０１０−５５４５９号公報
【発明の概要】
【発明が解決しようとする課題】
【０００６】
火災感知器取付ベースは、取り付けられる火災感知器に対応した形状になっており、特許文献１に開示の火災感知器取付ベースは、高さの高い火災感知器に対応するものである。それ故、特許文献１の図２、図４に示されるように、火災感知器取付ベースの高さも高く、天井裏に奥深く埋め込まれる形状になっている。このため、取付状態において天井面の下面（鍔部の天井面と接する面）と取付金具のベース本体への設置位置との高低差が大きく、特許文献１の取付金具はこのような高低差が大きいことを前提としたものである。
つまり、特許文献１に開示の取付金具は、上記の条件の下で通常の厚みの天井面に火災感知器取付ベースを取り付けるタイプのものである。
【０００７】
近年、建築物においては防音効果の高い室が望まれ、そのため天井面の厚みが厚い、例えば、３５ｍｍ以上になることが想定される。
前述したように、特許文献１に開示の火災感知器取付ベースは、高さの高い火災感知器を対象とし、取付金具のベース本体への設置位置と天井面の下面との高低差が大きいことを前提とし、これに対応する取付金具が設けられている。
そのため、火災感知器の高さが低いような場合には、取付金具のベース本体への設置位置と天井面の下面との高低差が小さくなり、かかる場合において、特許文献１の取付金具を用いると、取り付けに際して取付金具と天井面の開口縁部とが干渉して設置することができないという問題がある。
【０００８】
本発明はかかる課題を解決するためになされたものであり、取付金具のベース本体への設置位置と天井面等の取付面の下面との高低差が小さい場合であっても、厚みの厚い取付面に取り付けることができる火災感知器取付ベースを提供することを目的としている。
【課題を解決するための手段】
【０００９】
（１）本発明に係る火災感知器取付ベースは、開口が設けられた取付面に設置されて、火災感知器を取り付けるためのものであって、
前記火災感知器が着脱可能に装着されるベース本体と、該ベース本体に基端側を支点として起立状態から外方に向けて傾動して倒伏状態になるように設けられ、前記取付面の開口縁部を前記ベース本体と協働して挟持することで該ベース本体を前記取付面に取り付けるベース取付金具を有し、
該ベース取付金具は、起立状態において基端側から立ち上がる立上り部と、該立上り部に連続して形成されて倒伏状態において先端が前記開口縁部を押さえる押さえ部を有し、
該押さえ部は、起立状態で前記立上り部から前記ベース本体の径内方向に向かって屈曲又は湾曲した後、径外方向に向かって屈曲又は湾曲してなり、
設置可能ないずれの厚みの取付面に設置した場合であっても、設置状態において、前記立上り部の上端と前記先端とを結んだ直線と前記押さえ部とで囲まれる領域内又は領域の境界部に、前記取付面における開口縁部の厚み方向の上端角部が配置されることを特徴とするものである。
【００１０】
（２）また、上記（１）に記載のものにおいて、前記押さえ部は、前記立上り部に連続すると共に該立上り部に対して略直角に屈曲形成された第１片部と、該第１片部に連続して前記立上り片部と平行な方向に屈曲形成された第２片部と、該第２片部に連続して径外方向に向かって斜めに延出する第３片部を備えてなることを特徴とするものである。
【００１１】
（３）また、上記（１）又は（２）に記載のものにおいて、前記ベース取付金具は、前記立上り部の基端側に形成され、固定用のボルトが挿通されるボルト挿通孔を有する固定片部を有し、
前記ベース本体は前記固定片部の少なくとも両側を囲むように立設された一対の側壁部を有し、
該側壁部は前記ボルトの最先端にナットを螺合させた状態で前記ナットが空回りしないようにその高さと奥行方向の幅が設定されていることを特徴とするものである。
【発明の効果】
【００１２】
本発明においては、ベース本体に設けるベース取付金具が、立上り部と押さえ部とを有し該押さえ部は、起立状態で前記立上り部から前記ベース本体の径内方向に向かって屈曲又は湾曲した後、径外方向に向かって屈曲又は湾曲してなり、設置可能ないずれの厚みの取付面に設置した場合であっても、設置状態において、前記立上り部の上端と前記押さえ部の先端とを結んだ直線と前記押さえ部とで囲まれる領域内又は領域の境界部に、前記取付面における開口縁部の厚み方向の上端角部が配置されるようにしたので、取付金具のベース本体への設置位置と天井面等の取付面の下面との高低差が小さい場合であっても、厚みの厚い取付面に取り付けることができる。
【図面の簡単な説明】
【００１３】
【図１】本発明の実施の形態に係る火災感知器取付ベースの斜視図である。
【図２】図１に示した火災感知器取付ベースの分解斜視図である。
【図３】本発明の実施の形態に係る火災感知器取付ベースのベース取付金具の起立状態を示す斜視図である。
【図４】図１に示した火災感知器取付ベースを設置可能な最も厚い取付面に取り付けた状態を示す図である。
【図５】図１に示した火災感知器取付ベースを設置可能な最も薄い取付面に取り付けた状態を示す図である。
【図６】図１に示した火災感知器取付ベースにおけるベース取付金具を起立させた状態の側面図である。
【図７】本発明の実施の形態に係る火災感知器取付ベースのベース本体に設ける側壁部が解決する課題を説明する図である（その１）。
【図８】本発明の実施の形態に係る火災感知器取付ベースのベース本体に設ける側壁部が解決する課題を説明する図である（その２）。
【発明を実施するための形態】
【００１４】
本実施の形態に係る火災感知器取付ベース１は、図１〜図３に示すように、開口が設けられた取付面３（図４、図５参照）に設置されて、火災感知器を取り付けるためのものであって、火災感知器が着脱可能に装着されるベース本体５と、ベース本体５に設けられ、取付面３の開口縁部７をベース本体５と協働して挟持することでベース本体５を取付面３に取り付けるベース取付金具９を有している。
各構成を詳細に説明する。
【００１５】
＜ベース本体＞
ベース本体５は、火災感知器が着脱可能に装着されるものであって、火災感知器が装着される本体部１１と、本体部１１の外周から外方に張り出すように設けられた鍔部１３を有している。
【００１６】
《本体部》
本体部１１は、中央が開口する底部を有する有底筒形状をしている。本体部１１の底部の内面（設置状態での下面）には、火災感知器に設けられた刃金具と係合する刃受金具が設けられている（図示なし）。
また、本体部１１の底部における外面（設置状態での上面）には、一対のベース取付金具９を設置するための取付金具設置部１５が、開口を挟んで対向する位置に一対設けられている。
【００１７】
取付金具設置部１５は、ベース取付金具９における後述する固定片部３５の少なくとも両側を囲むように立設された一対の側壁部１７と、固定片部３５の係止爪３３が係止する係止部１９とを備えている。
側壁部１７はボルト２９の最先端にナット２１を螺合させた状態でナット２１が空回りしないようにその高さｈと奥行方向の幅ｗが設定されている。
【００１８】
《鍔部》
鍔部１３は、火災感知器取付ベース１を取付面３に取り付ける際に、ベース取付金具９と協働して取付面３の開口縁部７を挟持する機能を有している。
鍔部１３は、外周が円形であり、取付面３の開口よりも大径に設定されている。鍔部１３の上面には剛性を高めるための複数のリブ２３が放射状に設けられている。
【００１９】
＜ベース取付金具＞
ベース取付金具９は、ベース本体５に基端側を支点として起立状態、言い換えると、ベース本体５に対して起立した状態、から外方に向けて傾動して倒伏状態になるように設けられ、取付面３の開口縁部７をベース本体５と協働して挟持することでベース本体５を取付面３に取り付けるものである。
【００２０】
ベース取付金具９は、起立状態において基端側から立ち上がる立上り部２５と、立上り部２５に連続して形成されて倒伏状態において先端が取付面３の開口縁部７を押さえる押さえ部２７と、立上り部２５の基端側に形成され、固定用のボルト２９が挿通されるボルト挿通孔３１と係止部１９に係止する係止爪３３とを有する固定片部３５を有している。なお、ボルト挿通孔３１は、固定片部３５から立上り部２５に至るような長孔になっている。
【００２１】
押さえ部２７は、立上り部２５に連続すると共に立上り部２５に対して略直角に屈曲形成された第１片部２７ａと、第１片部２７ａに連続して立上り部２５と平行な方向に屈曲形成された第２片部２７ｂと、第２片部２７ｂに連続して径外方向に向かって斜めに延出する第３片部２７ｃを備えてなり、第３片部２７ｃの先端には取付面３に当接する爪３７が設けられている。
そして、図３に示すように、立上り部２５の上端Ａと第３片部２７ｃの先端Ｂとを結んだ直線と押さえ部２７とで囲まれる領域が、押さえ部２７と取付面３との干渉を避ける逃げ部となる領域（以下、「逃げ部領域Ｓ」という）になっている。
【００２２】
設置可能な最も厚い取付面３に取り付けた状態を示す図４及び、設置可能な最も薄い取付面３に取り付けた状態を示す図５に示すように、設置可能ないずれの厚みの取付面３に設置した場合であっても、設置状態において、取付面３における開口縁部７の厚み方向の上端角部Ｃが逃げ部領域Ｓ内又は領域の境界部に、配置されるようになっている。
【００２３】
上記のように構成された本実施の形態の火災感知器取付ベース１の作用について説明する。
図６に示すように、ベース取付金具９を起立させた状態にして、天井面等の取付面３に設けた開口に挿入し、鍔部１３を取付面３の下面に当接させる。その後、ドライバー等の工具を用いてボルト２９を回すことでナット２１を下降させ、係止部１９を支点としてベース取付金具９を倒伏させて、鍔部１３とベース取付金具９によって３を挟む。
【００２４】
本実施の形態の火災感知器取付ベース１が設置可能な最も厚い取付面３は、図４に示すように、第３片部２７ｃが取付面３と平行になる。このとき、図４に示すように、逃げ部領域Ｓ内に、開口縁部７の厚み方向の上端角部Ｃが配置されている。
また、火災感知器取付ベース１が設置可能な最も薄い取付面３は、図５に示すように、第２片部２７ｂ及び立上り部２５が取付面３と平行になる。このとき、図５に示すように、逃げ部領域Ｓの境界部に開口縁部７の厚み方向の上端角部Ｃが配置されている。
【００２５】
図４、図５から分かるように、取付面３の厚みが最も厚い場合または最も厚い場合と最も薄い場合の間のいずれの厚みであっても、上端角部Ｃは逃げ部領域Ｓ内に配置される。また、取付面３の厚みが最も薄い場合、上端角部Ｃは逃げ部領域Ｓの境界部に配置される。
このように、本実施の形態のベース取付金具９においては、逃げ部領域Ｓが取付面３の開口縁部７との干渉を防止しており、換言すれば、逃げ部領域Ｓがあるが故に、厚みの厚い防音タイプの天井のような取付面３に対しても設置可能となっている。
【００２６】
なお、本実施の形態は、設置状態におけるベース取付金具９の設置位置［ベース本体５における本体部１１の底部の外面（設置状態での上面）］と天井面の下面との高低差が小さく（約３５ｍｍ）、このような高低差の小さい場合であっても厚みの厚い取付面３に取り付けることができる。
【００２７】
また、本実施の形態では、ベース取付金具９の固定片部３５の両側を囲むように立設された一対の側壁部１７を設け、この側壁部１７はボルト２９の最先端にナット２１を螺合させた状態でナット２１が空回りしないようにその高さｈと奥行方向の幅ｗが設定されている。このようにした理由を、図７、図８に基づいて説明する。
なお、側壁部１７の機能に関しては、上記の実施の形態で示したベース取付金具９に限定されるものではないので、図７、図８においては、上記とは異なる従来のベース取付金具３９を示している。
【００２８】
図７では、側壁部４１の高さがナット２１よりも低いためにナット２１が空転することを示している。ナット２１は本来であればナット２１の短辺が側壁部４１に沿うように配置されるべきであるが（図１の右側のナット２１参照）、ナット２１が空転することで図７に示すようにナット２１の短辺が側壁部４１に対して斜めになることがある。この状態でボルト２９が締めこまれると、図８に示すように、完全にボルト２９が締め込まれてはいない状態で設置が完了することが生ずる。図８に示すような状態で設置が完了していると、本来の取り付け状態ではないために、外力が作用したときにボルト２９が緩んでしまうことが想定される。
これに対して、ナット２１がボルト２９の先端にある状態よりも側壁部４１の高さを高くしてナット２１が空回りしないようにすることで、取り付けの作業時においてナット２１の向きが変わらず、図８に示すような状態にならない。
【００２９】
なお、上記の説明では側壁部４１の高さを高くする点について説明したが、ボルト２９は図７に示すように、その先端が外方に向かって傾動可能な自由度を持っているので、ボルト２９が傾動した際に、ナット２１が側壁部４１の奥行方向の外方から突出することが考えられ、この場合には側壁部４１の高さが高いだけではナット２１の空回りを防止できない。そこで、本実施の形態では、側壁部１７の奥行についても、ナット２１が空回りしないように設定されている。
【００３０】
なお、上記の説明では、押さえ部２７の形状として、第１片部２７ａ、第２片部２７ｂ及び第３片部２７ｃを有する形状について説明したが、押さえ部２７の形状はこれに限定されるものではなく、起立状態で立上り部２５からベース本体５の径内方向に向かって屈曲又は湾曲した後、径外方向に向かって屈曲する形状であればよい。
【符号の説明】
【００３１】
１  火災感知器取付ベース
３  取付面
５  ベース本体
７  開口縁部
９  ベース取付金具
１１  本体部
１３  鍔部
１５  取付金具設置部
１７  側壁部
１９  係止部
２１  ナット
２３  リブ
２５  立上り部
２７  押さえ部
２７ａ  第１片部
２７ｂ  第２片部
２７ｃ  第３片部
２９  ボルト
３１  ボルト挿通孔
３３  係止爪
３５  固定片部
３７  爪
３９  ベース取付金具（従来例）
４１  側壁部（従来例）
Ｓ  逃げ部領域
【図１】
2020154912.tif 000003
【図２】
2020154912.tif 000004
【図３】
2020154912.tif 000005
【図４】
2020154912.tif 000006
【図５】
2020154912.tif 000007
【図６】
2020154912.tif 000008
【図７】
2020154912.tif 000009
【図８】
2020154912.tif 000010